(57)【要約】【課題】  本発明では、ユーザーがより少ない手間で特殊サイズの用紙設定を行えるようにすることを課題としている。【解決手段】  記録紙に記録を行う記録ヘッドを搭載する保持手段と、該保持手段を前記記録ヘッドによる記録方向に移動させる移動手段と、被記録媒体を前記記録方向と垂直方向に移動させる移動手段と、前記記録方向と記録方向の垂直方向への移動量を計測する手段と、前記保持手段に被記録媒体の端部を検出する手段を有することを特徴とする記録装置である。【選択図】  図１
2006026968.tif 000002
【特許請求の範囲】
【請求項１】
記録紙に記録を行う記録ヘッドを搭載する保持手段と、該保持手段を前記記録ヘッドによる記録方向に移動させる移動手段と、被記録媒体を前記記録方向と垂直方向に移動させる移動手段と、前記記録方向と記録方向の垂直方向への移動量を計測する手段と、前記保持手段に被記録媒体の端部を検出する手段を有することを特徴とする記録装置である。
【請求項２】
請求項１に記載する記録装置に於いて、「被記録媒体の端部を検出する手段」で一方の端部を検出してから被記録媒体の反対側の端部を検出するまでの移動量を前記「記録方向と記録方向の垂直方向への移動量を計測する手段」で計測することで、被記録媒体の縦横のサイズを算出し被記録媒体の新規サイズとして登録することを特徴とする記録装置である。
【発明の詳細な説明】
【技術分野】
【０００１】
本発明は、キャリッジを移動させ記録ヘッドによって記録用紙に画像形成記録を行う記録装置の技術分野に属するものである。
【背景技術】
【０００２】
現在、プリンタドライバの設定では、A4、A3、letter、ハガキ、L版、2L版等多様なサイズを選択することが出来るようになっている。しかし、必ずしもその中にユーザーが所望するサイズがあるわけではない。ユーザーが用意したメディアのサイズが一般的なサイズであるとは限らないのである。そのような場合、例えばプリンタのドライバでは用紙サイズの中に「ユーザー定義用紙」という項目があり、ユーザー自らが用紙の縦・横の長さを測定し入力することで特殊な用紙サイズに対応している（例えば特許文献１）。
【特許文献１】特開平9-301545号公報
【発明の開示】
【発明が解決しようとする課題】
【０００３】
本発明では、ユーザーがより少ない手間で特殊サイズの用紙設定を行えるようにすることを課題としている。
【課題を解決するための手段】
【０００４】
記録紙に記録を行う記録ヘッドを搭載する保持手段と、該保持手段を前記記録ヘッドによる記録方向に移動させる移動手段と、被記録媒体を前記記録方向と垂直方向に移動させる移動手段と、前記記録方向と記録方向の垂直方向への移動量を計測する手段と、前記保持手段に被記録媒体の端部を検出する手段を有することを特徴とする記録装置である。
【発明の効果】
【０００５】
特殊な用紙サイズの登録をより少ない手間で実現することが出来る。
【発明を実施するための最良の形態】
【０００６】
以下、添付図面を参照して本発明の好適な実施の形態を説明する。
【０００７】
図１は、本発明を実施した形態の一例である。同図において、１００は、本体１１０、ＣＲＴディスプレイ１２０、キーボード１３０を含むホストコンピュータである。２００は、図２に示すようなキャリッジＣＲＧ上に画像を形成する為の記録ヘッドＩＪＨと用紙の端部を検出する為の反射型センサSNSを載せた画像形成装置である。また、１５０は、ホストコンピュータ１００とインクジェットプリンタ２００を接続するセントロニクスインターフェースケーブルやUSBケーブル等の通信ケーブルである。
【０００８】
図３は、本発明を実施した形態の一例であるインクジェットプリンタの制御構成の一例を示すブロック図である。インターフェース（Ｉ／Ｆ）１７００は、ホストコンピュータ１００からの印刷データ等を受信し、ゲートアレイ１７０４に受信データを供給する。プログラムメモリ１７０２は、プリンタ２００を制御するプログラムを格納したメモリ媒体である。ＥＥＰＲＯＭ１７３０は、ホストコンピュータ１００によって指定された設定内容を記憶する領域をもつ不揮発性メモリである。ゲートアレイ１７０４は、ＣＰＵ１７０１の指示に従って、ＲＡＭ１７０３を使用しながら印刷データを展開し、ヘッドドライバ１７０５及びキャリアモータドライバ１７０７、紙送りモータドライバ１７０９を制御して画像を形成せしめる回路である。ＣＰＵ１７０１は、プログラムメモリ１７０２に格納された制御プログラムに基づいてプリンタ２００を統括的に制御する。ヘッドドライバ１７０５は、記録ヘッドＩＪＨを駆動するドライバである。キャリアモータ１７０６は、記録ヘッドＩＪＨを搭載したキャリッジCRTGを搬送するモータであり、モータドライバ１７０７は、キャリアモータ１７０６を駆動するドライバである。紙送りモータ１７０８は被印字物を搬送するモータであり、紙送りモータドライバ１７０９は紙送りモータ１７０８を駆動するドライバである。本実施例では、キャリアモータ・紙送りモータ共にDCモータであり、位置検出の為にそれぞれキャリア用ラインエンコーダ１７１０と紙送り用ロータリーエンコーダ１７１１を備えている。
【０００９】
図４は、本発明における特殊な用紙サイズ登録を行う大まかな動作例を示すフローチャートである。まず、反射型センサSNSが給紙された用紙の位置合わせ付近に来るように（横幅が短い用紙に対応するため）キャリッジCRGを移動させる（S001）。対象となる特殊サイズの用紙を給紙し、反射型センサSNSが用紙の先端を検出するまで用紙を搬送する（S002、S003）。反射型センサSNSが用紙の先端を検出した時点で、紙送り用ロータリーエンコーダ１７１１から出力される信号のエッジのカウントを開始する（S004）。次に、キャリッジCRGとキャリッジ退避位置まで移動する（S005）。反射型センサSNSが用紙の右端を検出するまでキャリッジCRGを搬送し（S006,S007）、検出した時点でキャリア用ラインエンコーダ１７１０から出力される信号のエッジのカウントを開始する（S008）。さらに反射型センサSNSが用紙の左端を検出するまでキャリッジCRGを搬送し（S009,S010）、検出した時点でキャリア用ラインエンコーダ１７１０から出力される信号のエッジのカウントを終了する（S011）。次に、反射型センサSNSが用紙の後端を検出するまで用紙を搬送し（S012,S013）、検出した時点で紙送り用ロータリーエンコーダ１７１１から出力される信号のエッジのカウントを終了する（S014）。紙送り用ロータリーエンコーダ１７１１から出力された信号のエッジのカウント数から対象となる用紙の縦方向の長さが算出され、キャリア用ラインエンコーダ１７１０から出力された信号のエッジのカウント数から対象となる用紙の横方向の長さが算出される（S015）。算出された用紙サイズをホストコンピュータ１００に転送し、プリンタドライバに新たな用紙サイズとして登録される（S016）。
【００１０】
ユーザーが行うことは、対象となるサイズの用紙をプリンタの給紙位置に置くことだけである。
【図面の簡単な説明】
【００１１】
【図１】本発明を実施した形態の一例である。
【図２】キャリッジＣＲＧ上に画像を形成する為の記録ヘッドＩＪＨと用紙の端部を検出する為の反射型センサSNSを載せた画像形成装置である。
【図３】本発明を実施した形態の一例であるインクジェットプリンタの制御構成の一例を示すブロック図である。
【図４】本発明における特殊な用紙サイズ登録を行う大まかな動作例を示すフローチャートである。
【図１】
2006026968.tif 000003
【図２】
2006026968.tif 000004
【図３】
2006026968.tif 000005
【図４】
2006026968.tif 000006